(57)【要約】【課題】  ルーズコンタクトの発生を防止することができる照明器具を提供する。【解決手段】片口金蛍光ランプ１２はランプ口金１３の表面のランプ軸１４を通る直線１７に略沿ってランプ軸１４に点対称に４本のランプピン１６を有するとともに、ソケット係合部１５を有する。ランプソケット７は、ランプピン１６をそれぞれ挿入させかつランプピン１６を回動可能に形成した複数の挿入穴２２を有し、ランプピン１６が接触するピン受け部２３を挿入穴２２内に有するとともに、片口金蛍光ランプ１２の回動によりランプピン１６がピン受け部２３に接触しない位置とピン受け部２３に接触する位置でソケット係合部１５が係合する係止部２１を有し、複数の挿入穴２２は片口金蛍光ランプ１２の直線１７が略鉛直方向となるように配置されている。【選択図】        図１
2006302798.tif 000002
【特許請求の範囲】
【請求項１】
ランプ口金の表面の回動中心を通る直線に略沿って前記回動中心に点対称に複数のランプピンを有するとともにソケット係合部を有する片口金ランプを装着するランプソケットを備えた照明器具において、
前記ランプソケットは、前記複数のランプピンをそれぞれ挿入させかつ前記ランプピンを回動可能に形成した複数の挿入穴を有し、
前記複数のランプピンの挿入状態で前記片口金ランプを一方向に回動することにより、前記ランプピンが接触するピン受け部を前記挿入穴内に有するとともに、
前記片口金ランプの前記回動により前記ランプピンが前記ピン受け部に接触しない位置と前記ピン受け部に接触する位置で前記ソケット係合部が係合する係止部を有し、
前記複数の挿入穴は、挿入状態の前記片口金ランプの前記直線が略鉛直方向となるように配置されていることを特徴とする照明器具。
【請求項２】
前記片口金ランプは、前記口金ランプ内において、前記片口金ランプの回動中心軸方向と直角な方向で前記ランプピンの並び方向と直角な方向にアマルガム部を配置している請求項１記載の照明器具。
【発明の詳細な説明】
【技術分野】
【０００１】
この発明は、片口金ランプを略水平配置で備える照明器具に関するものである。
【背景技術】
【０００２】
従来のこの種の照明器具は、小型高出力を目的として開発され、必要とする光出力に応じて、ランプバルブの本数が２本、４本、６本、８本と異なる片口金蛍光ランプを使用しているが、そのランプ口金に設けられた例えば４本のランプピンはいずれも口金の中心の同じ円周上に配置されている（特許文献１参照）。
【０００３】
一方、近時さらなる高出力化を狙って開発されている片口金蛍光ランプでは、図５に示すように片口金蛍光ランプ５０がランプ口金５１の表面の中心となるランプ軸５４を通る直線５３に略沿ってランプ軸５４に点対称に４本のランプピン５２を設けている。この直線５３はランプ軸５４に対して直角な方向の口金中心軸線である。５５はランプバルブ、５６はソケット係合部である。
【０００４】
この片口金蛍光ランプ５０を装着するランプソケット６０は、図６に示すように片口金蛍光ランプ５０のランプピン５２を挿入させる挿入穴６１を有し、挿入穴６１内で片口金蛍光ランプ５０を一方向に回動することによりランプピン５２が接触するピン受け部６２を有する。６３はソケット係合部５６が片口金蛍光ランプ５０の回動により係合する係止部である。片口金蛍光ランプ５０のランプピン５２を挿入穴６１に差し込み回動するとソケット係合部５６が係止部６３に係合し、その初期段階でランプピン５２がピン受け部６２にまだ非接触の仮保持状態があり、さらに片口金蛍光ランプ５０を回動するとランプピン５２がピン受け部６２に接触する。
【０００５】
また片口金蛍光ランプ５０は水銀蒸気供給源であるアマルガム部を有する。
【特許文献１】特開２００３−２７２４０９公報
【発明の開示】
【発明が解決しようとする課題】
【０００６】
従来例では、４本のランプピンが略同一円周上に配置されているため片口金蛍光ランプを略水平配置で備える照明器具であっても、この片口金蛍光ランプが比較的小型軽量であることとあいまって、４本のランプピンの接触は比較的安定確実なものとすることが容易で、信頼性の高い照明器具を得ることができる。
【０００７】
一方、図５に示す片口金蛍光ランプ５０をランプソケット６０に装着する場合において、ランプピン５２を結ぶ直線５３が、ランプソケット６２に仮保持された状態および図６（ａ）に示す正規に装着された状態で略水平となっている場合には、ランプ取付工程において仮保持状態のときランプピン５２とピン受け部６２は非接触状態にあるが、片口金蛍光ランプ５０の高出力化および大型化するのに伴ってランプ重量が増大するにつれて、上記のようなランプ設置状態であると、照明器具へのランプ設置状態における傾きが大きくなり、その傾きにより図６（ｂ）に示すようにランプピン５２とピン受け部６２において不完全な接触であるルーズコンタクトが発生し発熱発火の原因となる恐れがあった。
【０００８】
したがって、この発明の目的は、ルーズコンタクトの発生を防止することができる照明器具を提供することである。
【課題を解決するための手段】
【０００９】
この発明の照明器具は、ランプ口金の表面の回動中心を通る直線に略沿って前記回動中心に点対称に複数のランプピンを有するとともにソケット係合部を有する片口金ランプを装着するランプソケットを備えている。前記ランプソケットは、前記複数のランプピンをそれぞれ挿入させかつ前記ランプピンを回動可能に形成した複数の挿入穴を有し、
前記複数のランプピンの挿入状態で前記片口金ランプを一方向に回動することにより、前記ランプピンが接触するピン受け部を前記挿入穴内に有するとともに、前記片口金ランプの前記回動により前記ランプピンが前記ピン受け部に接触しない位置と前記ピン受け部に接触する位置で前記ソケット係合部が係合する係止部を有し、
前記複数の挿入穴は、挿入状態の前記片口金ランプの前記直線が略鉛直方向となるように配置されている。
【００１０】
上記構成において、前記片口金ランプは、前記口金ランプ内において、前記片口金ランプの回動中心軸方向と直角な方向で前記ランプピンの並び方向と直角な方向にアマルガム部を配置している。
【発明の効果】
【００１１】
この発明の照明器具によれば、ランプソケットの取付け状態において、複数の挿入穴は前記片口金ランプの前記直線が略鉛直方向となるように配置されているため、仮保持状態において、片口金ランプが傾いた場合にもランプピンがピン受け部と接触することなくルーズコンタクトの発生を防止することができる。
【００１２】
またアマルガム部の位置はランプ軸と水平に位置するため、アマルガム温度の変化が少なく一定の光出力を得ることができる。
【発明を実施するための最良の形態】
【００１３】
この発明の第１の実施の形態を図１および図２により説明する。すなわち、この照明器具は、天井１の埋め込み穴２に器具本体３が埋め込まれている。器具本体３は支柱（図示せず）と枠５と本体天板６により構成され、支柱に設けられた取付具（図示せず）により天井１の裏面に係止するもので、支柱の下端部に連結されて有天筒状の反射鏡（板）４を支持した枠５が埋め込み穴２に挿入され、枠５が埋め込み穴２の縁部に係止している。器具本体３の支柱の上端部に取付けられた本体天板６の下面に反射鏡４の側面に対向するランプソケット７が取付けられ、本体天板６にさらに点灯装置取付板８が取付けられ、これに点灯装置９および端子台１０が取付けられている。反射鏡４のランプソケット７に対向する位置にランプ挿入穴１１が形成され、ランプ挿入穴１１を通して片口金ランプ例えば片口金蛍光ランプ１２が反射鏡４内に配置されるとともにランプ口金１３がランプソケット７に装着されている。
【００１４】
片口金蛍光ランプ１２は図５に示すものと同構成であり、ランプ口金１３の表面の中央部にランプ軸１４を有し、ランプ口金１３の表面の周縁部に内向きかぎ形のソケット係合部１５を複数突設し、ソケット係合部１５とランプ軸１４の間に４本のランプピン１６をランプ軸１４を通る直線１７に略沿ってランプ軸１４に点対称に設けている。直線１７はランプ軸１４の軸方向に対する直交方向のランプ口金１３のランプ軸１４を通る口金中心軸線である。
【００１５】
ランプソケット７は、ランプ軸１４を嵌合する凹部２０を中心に有し、ソケット係合部１５に係合する係止部２１を周縁部に形成し、ランプピン１６を挿入する挿入穴２２を各ランプピン１６に対応して形成している。挿入穴２２はランプ軸１４に近いものが短い長孔であり、遠いものが長い長孔であり、それぞれ凹部２０を中心とする円弧をなしている。そして、ランプソケット７を器具本体３に取付けた状態では、４本の挿入穴２２は片口金蛍光ランプ１２の直線１７が略鉛直方向となるように配置されている。さらに挿入穴２２内にピン受け部２３を配設し、片口金蛍光ランプ１２を一方向に回動することにより、ランプピン１６がピン受け部２３に接触し、片口金蛍光ランプ１２に給電可能となる。
【００１６】
また、ランプピン１６を挿入穴２２内に挿入した状態で片口金蛍光ランプ１２を回動するとソケット係合部１５が係止部２１に係合しランプソケット７とランプ口金１３が結合状態となるが、係合した初期の段階でランプピン１６がピン受け部２３にまだ接触しない仮保持状態が形成される。
【００１７】
片口金蛍光ランプ１２が仮保持状態である場合、片口金蛍光ランプ１２の自重によりランプソケット７を支点として垂直下方へ片口金蛍光ランプ１２が傾いた場合にも、ランプピン１６がランプソケット７のピン受け部２３と接触することなく、ルーズコンタクトの発生を防ぐことができる。
【００１８】
この発明の第２の実施の形態を図４により説明する。第１の実施の形態において、片口金蛍光ランプ１２のランプ口金１３内でランプピン１６の並び方向すなわち直線１７に対して直角な方向の位置、角度にして略９０度の位置にアマルガム部２５を配置したものである。
【００１９】
片口金蛍光ランプ１２がランプソケット７に設置された状態において、ランプ口金１３内に設けられたアマルガム部２５の位置はランプ軸１４と略水平に位置することになる。この片口金蛍光ランプ１２とランプソケット７はランプ軸１４を中心に１８０度回転状態でしか装着不可能であり、アマルガム部２５は直線１７に対して左右に位置することになる。このため、使用者はアマルガム部２５の位置を確認しなくともランプ口金１３内のアマルガム部２５の位置はランプ軸１４と水平に位置することになるため、アマルガム温度の変化が少なく出力ばらつきがなく、器具およびランプを複数取付けた際も一定の光出力を得ることができる。
【図面の簡単な説明】
【００２０】
【図１】この発明の第１の実施の形態の片口金蛍光ランプとランプソケットとを示す部分斜視図である。
【図２】照明器具の概略断面図である。
【図３】ランプソケットに片口金ランプが仮保持された状態を説明する正面図である。
【図４】第２の実施の形態を示し、（ａ）は片口金ランプの一部破断側面図、（ｂ）はそのランプ口金の表面を示す一部破断正面図である。
【図５】従来例を示し、（ａ）は片口金ランプの側面図、（ｂ）はそのランプ口金の表面を示す正面図である。
【図６】（ａ）は従来の片口金ランプの正規取付状態の部分拡大正面図、（ｂ）はランプ仮保持状態でかつランプ自重により片口金ランプが傾いた状態の部分拡大表面図である。
【符号の説明】
【００２１】
７    ランプソケット  
１２    片口金蛍光ランプ
１３    ランプ口金
１４    ランプ軸    
１５    係合部    
１６    ランプピン    
１７    直線
２２    挿入穴  
２３    ピン受け部  
２５    アマルガム部
【図１】
2006302798.tif 000003
【図２】
2006302798.tif 000004
【図３】
2006302798.tif 000005
【図４】
2006302798.tif 000006
【図５】
2006302798.tif 000007
【図６】
2006302798.tif 000008